(57)【要約】      （修正有）【課題】接着効果が優れた導電性布及びそれを用いた電子装置を提供する。【解決手段】導電性布の接着剤層２１３に分割された複数の分離紙層を設け、それぞれ単独で分離紙層を剥離できるようにした。導電性布を電子装置に結合する場合、単に分離紙層を順次剥離するだけで、均一に接着することができる。導電性布は連続的に一体に形成されているため、電子装置に結合された導電性布の各々の小さな部分の間に接触不良が生じない。また、導電性布に接地部２２９ａ、２２９ｂを設けたため、遮蔽効果を高めることができる。【選択図】図４
2010153856.tif 000002
【特許請求の範囲】
【請求項１】
外界の電磁干渉を遮る導電層と、
前記導電層を物体に固定するための接着剤層と、
前記接着剤層に設置され、且つ前記接着剤層から単独に剥離可能な複数の小さな部分に分割された分離紙層と、を備えることを特徴とする導電性布。
【請求項２】
前記物体が、電子装置であり、
前記電子装置が、対向設置される第一表面及び第二表面と、前記第一表面と前記第二表面とを連接する第三表面と、前記第一表面から延びる第四表面及び第五表面とを含み、
前記導電性布が、前記第五表面と接合する第一接合部と、前記第一表面と接合する第二接合部と、前記第四表面と接合する第三接合部と、前記第三表面と接合する第四接合部と、前記第二表面と接合する第五接合部とを含むことを特徴とする、請求項１に記載の導電性布。
【請求項３】
一体に形成された導電性布で電子装置の異なる平面に位置する複数の表面が覆われたことを特徴とする導電性布が接着された電子装置。
【請求項４】
前記電子装置が、一字状の本体及び該本体の両側から対称的に延びるＬ字状の第一翼部及び第二翼部を含み、
前記本体が、対向設置される第一表面及び第二表面、並びに前記第一表面と前記第二表面を連接する第三表面を含み、
前記第一翼部が、前記第一表面から延びる第四表面を含み、
前記第二翼部が、前記第一表面から延びる第五表面を含め、
前記導電性布が、前記第五表面と接合する第一接合部と、前記第一表面と接合する第二接合部と、前記第四表面と接合する第三接合部と、前記第三表面と接合する第四接合部と、前記第二表面と接合する第五接合部とを含むことを特徴とする、請求項３に記載の導電性布が接着された電子装置。
【請求項５】
前記第二接合部が、第一サブ接合部と、該第一サブ接合部に連接される第二サブ接合部と、を含み、
前記第二サブ接合部が、前記第四接合部に連接され、
前記第一サブ接合部が、前記第四接合部から離れて、
前記第二サブ接合部の前記第三接合部から離れている片側には、前記第四接合部に向かって開口されたＵ字型の割線が設置され、前記Ｕ字型の割線に囲まれる区域に第一接地部を形成されたことを特徴とする、請求項４に記載の導電性布が接着された電子装置。
【請求項６】
前記第五接合部が、第三サブ接合部と、該第三サブ接合部に連接される第四サブ接合部と、を含み、
前記第三サブ接合部が、前記第四接合部と連接され、
前記第四サブ接合部が、前記第四接合部から離れて、
前記第四サブ接合部の前記第三サブ接合部から離れている片側には、外へ突出された第二接地部が形成されたことを特徴とする、請求項４に記載の導電性布が接着された電子装置。
【請求項７】
前記導電性布が、導電層と、接着剤層と、分離紙層とを含み、
前記接着剤層が、導電層と分離紙層の間に設置され、
前記導電性布を前記電子装置に接着する場合、前記導電性布の前記分離紙層を剥離して、前記分離紙層が、第一接合部と第二接合部と第三接合部と第四接合部と第五接合部との形状によって複数の小さな部分に分割され、各々の小さな部分は前記接着剤層から単独に剥離されることを特徴とする、請求項４に記載の導電性布が接着された電子装置。
【発明の詳細な説明】
【技術分野】
【０００１】
本発明は、電子領域に関し、特に導電性布及びそれを用いた電子装置に関するものであ
る。
【背景技術】
【０００２】
導電性布は、電子領域で電磁干渉を遮ったり、静電気を防止したり電気的接続を実現することに応用される。
【０００３】
導電性布は、粘着方式によって電子装置の表面に結合されており、例えば、フレキシブル基板の外表面を覆う。前記電子装置の形状及び前記電子装置の各部の接続方式が異なるため、前記電子装置の各部に導電性布を別々に設置することを必要とする。しかし、前記電子装置の各部に結合されている各導電性布の間にギャップが存在するため、各導電性布の間の接触不良を招き、導電性布の導電性及び電磁干渉の遮断機能に影響を及ぼす。
【発明の概要】
【発明が解決しようとする課題】
【０００４】
本発明の第一の目的は、前記課題を解決するために、接着効果が優れた導電性布を提供することである。
【０００５】
本発明の第二の目的は、前記課題を解決するために、遮断効果が優れた導電性布が接着された電子装置を提供することである。
【課題を解決するための手段】
【０００６】
導電性布は、外界の電磁干渉を遮る導電層と、前記導電層を物体に固定するための接着剤層と、前記接着剤層に設置され、且つ前記接着剤層から単独に剥離可能な複数の小さな部分に分割される分離紙層とを備える。
【０００７】
導電性布が接着された電子装置は、一体に形成された導電性布で電子装置の異なる平面に位置する複数の表面が覆われている。
【０００８】
前記物体が電子装置であり、前記電子装置が、対向設置される第一表面及び第二表面と、前記第一表面と前記第二表面を連接する第三表面と、前記第一表面から延びる第四表面及び第五表面とを含み、前記導電性布が、前記第五表面と接合する第一接合部と、前記第一表面と接合する第二接合部と、前記第四表面と接合する第三接合部と、前記第三表面と接合する第四接合部と、前記第二表面と接合する第五接合部とを含む。
【０００９】
前記第二接合部が、第一サブ接合部と、該第一サブ接合部に連接される第二サブ接合部と、を含み、前記第二サブ接合部が、前記第四接合部に連接され、前記第一サブ接合部が、前記第四接合部から離れて、前記第二サブ接合部の前記第三接合部から離れている片側には、前記第四接合部に向かって開口されたＵ字型の割線が設置され、前記Ｕ字型の割線に囲まれる区域に第一接地部を形成する。
【００１０】
前記第五接合部が、第三サブ接合部と、該第三サブ接合部に連接される第四サブ接合部と、を含み、前記第三サブ接合部が、前記第四接合部と連接され、前記第四サブ接合部が、前記第四接合部から離れて、前記第四サブ接合部の前記第三サブ接合部から離れている片側には、外へ突出された第二接地部が形成される。
【００１１】
前記導電性布が、導電層と、接着剤層と、分離紙層とを含み、前記接着剤層が導電層と分離紙層の間に設置され、前記導電性布を前記電子装置に接着する場合、前記導電性布の前記分離紙層を剥離して、前記分離紙層が、第一接合部と第二接合部と第三接合部と第四接合部と第五接合部との形状によって複数の小さな部分に分割され、各々の小さな部分は前記接着剤層から単独に剥離される。
【００１２】
導電性布が電子装置と接合する場合、まず、前記第二接合部の分離紙層を剥離してから、前記第二接合部を前記第一表面に接着し、次に、前記第一接合部の分離紙層と前記第三接合部の分離紙層を剥離してから、前記第一接合部を前記第五表面に接着し、前記第三接合部を前記第四表面に接着し、続いて、前記第四接合部の分離紙層を剥離してから、前記第四接合部を前記第三表面に接着し、最後に、前記第五接合部の分離紙層を剥離してから、前記第五接合部を前記第二表面に接着する。
【発明の効果】
【００１３】
従来のダイオードと比べると、本発明の導電性布の接着剤層に分離紙層を設置するため、導電性布を電子装置に結合する場合、単に分離紙層を順次に剥離するだけで、導電性布を電子装置に均一に接着することができ、導電性布と電子装置との結合効果を高めることが可能である。導電性布は、連続的に一体に形成されているため、電子装置に結合された導電性布の各々の小さな部分の間に接触不良が存在しない。また、導電性布に第一接地部と第二接地部とを設置するため、導電性布を接地して、導電性布の導電性及び電磁干渉の遮蔽効果を高めることが可能である。
【図面の簡単な説明】
【００１４】
【図１】本発明の実施例に係るフレキシブル基板の構造を示す立体図である。
【図２】図１に示すフレキシブル基板に対応する導電性布の平面図である。
【図３】図２に示す導電性布と図１に示すフレキシブル基板が結合された構造を示す図である。
【図４】図２に示す導電性布と図１に示すフレキシブル基板が結合された構造の局部断面図である。
【図５】図２に示す導電性布の断面図である。
【発明を実施するための形態】
【００１５】
以下、図面を参照して、本発明の実施例について説明する。
【００１６】
図１を参照すると、本発明の実施例に係わるフレキシブル基板１００は、塊状であって、一字状の本体１０及び該本体１０の両側から対称的に延びるＬ字状の第一翼部１２及び第二翼部１４を含む。
【００１７】
前記本体１０は、対向設置される第一表面１０１及び第二表面１０３、前記第一表面１０１と前記第二表面１０３を連接する第三表面１０５を含む。前記第三表面１０５と前記第一翼部１２は、前記本体１０の同じ片側に位置する。
【００１８】
前記第一翼部１２は、前記第一表面１０１から延びる第四表面１０７を含む。前記第二翼部１４は、前記第一表面１０１から延びる第五表面１０９を含む。
【００１９】
図２及び図３を参照すると、本発明の実施例に係る導電性布２００は一体に形成されている。前記導電性布２００は、前記第二翼部１４の第五表面１０９と接合する第一接合部２２０と、前記本体１０の第一表面１０１と接合する第二接合部２２２と、前記第一翼部１２の第四表面１０７と接合する第三接合部２２４と、前記本体１０の第三表面１０５と接合する第四接合部２２６及び前記本体１０の第二表面１０３と接合する第五接合部２２８を含む。前記導電性布２００の各々の接合部の形状はその接合表面に対応する。
【００２０】
前記第二接合部２２２は、第一サブ接合部２２２ａと、該第一サブ接合部２２２ａに連接される第二サブ接合部２２２ｂと、を含む。前記第二サブ接合部２２２ｂは、前記第四接合部２２６に連接され、前記第一サブ接合部２２２ａは、前記第四接合部２２６から離れている。前記第二サブ接合部２２２ｂの前記第三接合部２２４から離れている片側には、前記第四接合部２２６に向かって開口されたＵ字型の割線２２９が設置される。前記Ｕ字型の割線２２９に囲まれる区域に第一接地部２２９ａを形成する。
【００２１】
前記第五接合部２２８は、第三サブ接合部２２８ａと、該第三サブ接合部２２８ａに連接される第四サブ接合部２２８ｂと、を含む。前記第三サブ接合部２２８ａは、前記第四接合部２２６と連接され、前記第四サブ接合部２２８ｂは、前記第四接合部２２６から離れている。前記第四サブ接合部２２８ｂの前記第三サブ接合部２２８ａから離れている片側には、外へ突出された第二接地部２２９ｂが形成される。
【００２２】
前記第一接地部２２９ａと前記第二接地部２２９ｂは、前記導電性布２００と前記フレキシブル基板１００とが結合されてから、前記導電性布２００を共通アース端子に連接して、前記導電性布２００の静電気をアースするために用いられ、従って前記導電性布２００の遮断効果を高めることが可能である。
【００２３】
前記導電性布２００は、外界の電磁干渉を遮る導電層２１１と、前記導電層２１１を前記フレキシブル基板１００に固定するための接着剤層２１３と、該接着剤層２１３に設置される分離紙層２１５とを含む。前記分離紙層２１５は、前記接着剤層２１３に剥離可能に設置される。前記導電性布２００を前記フレキシブル基板１００に接着する場合、前記導電性布２００の前記分離紙層２１５を剥離してから、前記接着剤層２１３を前記フレキシブル基板１００に接着させて、前記導電性布２００を前記フレキシブル基板１００に固定する。前記分離紙層２１５は、前記導電性布２００の各々の部分によって複数の小さな部分に分割され、各々の小さな部分の間に分割ライン２１７が存在するため、各々の小さな部分は前記接着剤層２１３から単独に剥離される。
【００２４】
図４及び図５を参照すると、前記導電性布２００を前記フレキシブル基板１００に接着する場合、前記接着剤層２１３から各々の小さな部分の分離紙層２１５を順次に剥離する。まず、前記第二接合部２２２の分離紙層２１５を剥離してから、前記第二接合部２２２を前記第一表面１０１に接着する。次に、前記第一接合部２２０の分離紙層２１５と前記第三接合部２２４の分離紙層２１５を剥離してから、前記第一接合部２２０を前記第五表面１０９に接着し、前記第三接合部２２４を前記第四表面１０７に接着する。続いて、前記第四接合部２２６の分離紙層２１５を剥離してから、前記第四接合部２２６を前記第三表面１０５に接着する。最後に、前記第五接合部２２８の分離紙層２１５を剥離してから、前記第五接合部２２８を前記第二表面１０３に接着する。前記第二接合部２２２の分離紙層２１５を剥離する時、前記第二サブ接合部２２２ｂの分離紙層２１５を剥離してから、前記第一サブ接合部２２２ａの分離紙層２１５を剥離する。前記接着剤層２１３によって前記導電性布２００を前記フレキシブル基板１００に接着してから、剥離された分離紙層２１５を除去する。
【００２５】
前記導電性布２００の接着剤層２１３に分離紙層２１５を設置するため、前記導電性布２００を前記フレキシブル基板１００に結合する場合、単に前記分離紙層２１５を順次に剥離するだけで、前記導電性布２００を前記フレキシブル基板１００に均一に接着することができ、前記導電性布２００と前記フレキシブル基板１００との結合効果を高めることが可能である。前記導電性布２００は、連続的に一体に形成されているため、前記フレキシブル基板１００に結合された導電性布２００の各々の小さな部分の間に接触不良が存在しない。また、前記導電性布２００に第一接地部２２９ａと第二接地部２２９ｂを設置するため、前記導電性布２００を接地して、前記導電性布２００の導電性及び電磁干渉の遮断効果を高めることが可能である。
【符号の説明】
【００２６】
１０  本体
１２  第一翼部
１４  第二翼部
１００  フレキシブル基板
２００  導電性布
１０１  第一表面
１０３  第二表面
１０５  第三表面
１０７  第四表面
１０９  第五表面
２２０  第一接合部
２２２  第二接合部
２２４  第三接合部
２２６  第四接合部
２２８  第五接合部
２２９  Ｕ字型の割線
２１１  導電層
２１３  接着剤層
２１５  分離紙層
２１７  分割ライン
２２２ａ  第一サブ接合部
２２２ｂ  第二サブ接合部
２２８ａ  第三サブ接合部
２２８ｂ  第四サブ接合部
２２９ａ  第一接地部
２２９ｂ  第二接地部
【図１】
2010153856.tif 000003
【図２】
2010153856.tif 000004
【図３】
2010153856.tif 000005
【図４】
2010153856.tif 000006
【図５】
2010153856.tif 000007